(57)【要約】【課題】ＰＣに接続することにより複数のメディアドライブの１つが外部ドライブとして動作することが可能な電子機器に関して、メディアドライブの切替えを切替え用のスイッチ等で設定する必要があり、煩わしさがあった。【解決手段】本発明のＵＳＢ接続機能搭載の電子機器１は切替え用のスイッチ等が必要でなくディスク状メディア駆動部５からＩＣカード駆動部３に変更する場合はＩＣカード２を挿入することにより自動にメディアドライブを変更可能な構成としたものである。【選択図】  図１
2004246660.tif 000002
【特許請求の範囲】
【請求項１】
種類の異なる記録および再生メディアの動作可能なメディアドライブを少なくとも２台以上装備し、他の装置とＵＳＢ規格にて接続可能な電子機器において、前記メディアドライブは使用するメディアの挿入時にドライブ切替えを行う自動ドライブ切換手段を備えたことを特徴とする電子機器。
【請求項２】
種類の異なる記録および再生メディアの動作可能なメディアドライブを少なくとも２台以上装備し、他の装置とＵＳＢ規格にて接続可能な電子機器において、前記メディアドライブは使用するメディアの取り出し時にドライブ切替えを行う自動ドライブ切換手段を備えたことを特徴とする電子機器。
【請求項３】
種類の異なる記録および再生メディアの動作可能なメディアドライブを少なくとも２台以上装備し、他の装置とＵＳＢ規格にて接続可能な電子機器において、前記メディアドライブは使用するメディアの挿入時もしくは取り出し時にドライブ切替えを行う自動ドライブ切換手段を備え、挿入時か取り出し時かの切換を選択可能な選択手段を有したことを特徴とする電子機器。
【請求項４】
複数のメディアドライブの内、起動時においてメディアが挿入済みのメディアドライブが優先的に使用可能とした優先切換手段を備えたことを特徴とする請求項１から請求項３記載の電子機器。
【発明の詳細な説明】
【０００１】
【発明の属する技術分野】
本発明は、複数のメディアドライブを持つ電子機器の関するものであり、特にメディアドライブの切替えの処理に特徴を有するものである。
【０００２】
【従来の技術】
デジタルカメラや携帯機器の普及に伴いメモリカードが多く使用されている。このメモリカード内のデータを容易に他のメディアに保存可能な複数のメディアドライブを有する画像記録再生装置等の電子機器が多くなってきている。またこれら多くの電子機器はＰＣに接続することにより機器内のメディアドライブが外部ドライブとして動作することが多くなっている。
【０００３】
このように、ＰＣに接続して複数のメディアドライブが外部ドライブとして動作させる場合には、予めＰＣ側に適切な専用のデバイスドライバを導入しておく必要がある。これにより、電子機器を別のＰＣに始めて接続するＰＣ毎に専用のデバイスドライバが必要となる。
【０００４】
このため、専用のデバイスドライバを必要としない方法として、ＰＣ側の標準ドライバを使用する方法がある。標準ドライバを使用する場合には、１つの外部ドライブのみを動作させる方法がある（例えば特許文献１参照。）。
【０００５】
【特許文献１】
特開２００２−２１５２７５号公報
【０００６】
【発明が解決しようとする課題】
ＰＣ側の標準ドライバを使用する場合には、ＰＣ側によっては１つのみの外部ドライブが動作することになる。このため、ＰＣと接続した場合には電子機器側で１つのみメディアドライブが使用可能な状態にして、スイッチ等の設定で動作するメディアドライブを切替える電子機器もある。しかしながら、この場合では、スイッチ等を電子機器側に用意しておく必要ある上、切替える毎にスイッチ等で設定する必要があるため、煩わしさがあった。
【０００７】
【課題を解決するための手段】
前記課題を解決するために、本発明のＵＳＢ接続機能搭載の電子機器は複数のメディアドライブの内、ＰＣと接続した場合は１つのみ動作可能とし、メディアドライブの切替えはメディアを挿入するもしくは排出することにより自動で切替わることを特徴としたものである。
【０００８】
本発明によれば、使用するメディアを挿入するもしくは、必要でなくなったメディアを排出することにより、自動で切替わるために、スイッチを切替えるなどの煩わしさがなく、ＰＣの標準デバイスドライバが使用可能となるため、利便性が高い。また、ＵＳＢ接続機能搭載の電子機器に切替え用のスイッチを用意する必要がないため構成が簡単となる。
【０００９】
【発明の実施の形態】
本発明の請求項１に記載の電子機器は、種類の異なる記録および再生メディアの動作可能なメディアドライブを少なくとも２台以上装備し、他の装置とＵＳＢ規格にて接続可能な電子機器において、前記メディアドライブは使用するメディアの挿入時にドライブ切替えを行う自動ドライブ切換手段を備えたことを特徴としたものであり、他のドライブにメディアの有る無しに関わらず、使用するメディアをメディアドライブに挿入することにより、自動でＰＣの外部ドライブとして動作可能となり、別途メディアドライブの切替えの設定等をする手間を軽減しうるものである。
【００１０】
次に、請求項２に記載の電子機器は、種類の異なる記録および再生メディアの動作可能なメディアドライブを少なくとも２台以上装備し、他の装置とＵＳＢ規格にて接続可能な電子機器において、前記メディアドライブは使用するメディアの取り出し時にドライブ切替えを行う自動ドライブ切換手段を備えたことを特徴としたものであり、使用後のメディアをメディアドライブから排出することにより、他のメディアドライブにメディアが挿入してあれば、自動で他のメディアドライブがＰＣの外部ドライブとして動作可能となり、別途メディアドライブの切替えの設定等をする手間を軽減しうるものである。
【００１１】
次に、請求項３に記載の電子機器は、種類の異なる記録および再生メディアの動作可能なメディアドライブを少なくとも２台以上装備し、他の装置とＵＳＢ規格にて接続可能な電子機器において、前記メディアドライブは使用するメディアの挿入時もしくは取り出し時にドライブ切替えを行う自動ドライブ切換手段を備え、挿入時か取り出し時かの切換を選択可能な選択手段を有したことを特徴としたものであり、メディアを挿入するか取り出すかを選択可能であり、メディアを挿入する方を選択した場合には使用するメディアをメディアドライブに挿入することにより、自動でＰＣの外部ドライブとして動作可能となり、メディアを排出するを選択した場合には、メディアをメディアドライブから排出することにより、他のメディアドライブにメディアが挿入してあれば、自動で他のメディアドライブがＰＣの外部ドライブとして動作可能となり、別途メディアドライブの切替えの設定等をする手間を軽減しうるものである。
【００１２】
次に、請求項４に記載の電子機器は、請求項１から請求項３において複数のメディアドライブの内、起動時においてメディアが挿入済みのメディアドライブが優先的に使用可能とした優先切換手段を備えたことを特徴としたものであり、別途使用するメディアドライブの設定等をする手間を軽減しうるものである。
【００１３】
（実施の形態１）
以下に、本発明の請求項１から３に記載された発明の実施の形態について、図１から２を用いて説明する。
【００１４】
先ず図１を用いて説明する。
【００１５】
電子機器１にはデジタルカメラ等の記録媒体として使用されるＩＣカード２にファイルを読み書き可能なＩＣカード駆動部３と、他の記録媒体として容量が比較的多いディスク状メディア４と読み書き可能なディスク状メディア駆動部５を持つ操作部６は使用者が単体で使用する時に、ファイルの複写を行う場合にファイルの選択を行うための入力装置である。前記操作部６により入力された情報はＣＰＵ７に伝達され、表示部８に選択されたモードを表示して選択されたモードをＣＰＵ７にて処理する。
【００１６】
ＰＣと接続した場合には、ＵＳＢ処理部９にてＰＣのデータの送受信を行い、ＣＰＵにてアクティブとなっているドライブに対してＩＣカード２であればＩＣカード駆動部３を通して、ディスク状メディア４であればディスク状メディア駆動部５を通してデータの読み書きを行う。
【００１７】
次に図２を用いて図１と対比させながら説明する。
【００１８】
今、アクティブとなっているドライブ例えばＩＣカード駆動部３であれば、ＩＣカード２へのアクセスが終了した場合に処理スタート（ステップａ１）となる。
【００１９】
先ず挿入切替えモードが挿入か排出かの判断（ステップａ２）を行う。
【００２０】
挿入であれば、別ドライブであるディスク状メディア駆動部５にディスク状メディア４が新たに挿入されたか否か判断（ステップａ３）を行う。
【００２１】
挿入有りであればドライブ切替え処理（ステップａ６）にてアクティブなドライブをＩＣカード駆動部３からディスク状メディア駆動部５に変更を行い、処理を終了（ステップａ７）する。
【００２２】
挿入無しであれば処理を終了（ステップａ７）する。
【００２３】
前記ステップａ２にて排出の場合は、有効ドライブすなわち、ＩＣカード駆動部３のＩＣカード２が排出されたか否かの判断（ステップａ４）を行う。
【００２４】
排出なしの場合は処理を終了（ステップａ７）する。
【００２５】
排出有りの場合は他ドライブすなわち、ディスク状メディア駆動部５にディスク状メディア４があるか否かの判断（ステップａ５）を行う。
【００２６】
ディスク状メディア４が有ればドライブ切替え処理（ステップａ６）にてアクティブなドライブをＩＣカード駆動部３からディスク状メディア駆動部５に変更を行い、処理を終了（ステップａ７）する。
【００２７】
ディスク状メディア４が無ければ処理を終了（ステップａ７）する。
【００２８】
処理終了（ステップａ７）後、アクティブなドライブにアクセスがない場合も同様に処理スタート（ステップａ１）となる。
【００２９】
また、ステップａ６にてドライブ切替え処理が行われた場合には、次のＰＣからの通信時にはディスク状メディア駆動部５を通してディスク状メディア４にアクセスを行う。
【００３０】
このような構成により、切替え用のスイッチ等によりドライブ切替え処理が必要でなく、ディスクの抜き差しにより自動でドライブ切替えができる。
【００３１】
（実施の形態２）
次に、本発明の請求項４に記載された発明の実施の形態について、図１と図２を用いて説明する。なお、前述した実施の形態図１と図２については同じ符号を用い、説明を省略する。
【００３２】
電子機器１の起動時を含むＰＣと接続した初期の処理について説明する。
【００３３】
先ず接続した初期時にディスク状メディア駆動部５にディスク状メディア４が有りＩＣカード駆動部３にＩＣカード２が無い場合はディスク状メディア駆動部５がＰＣのアクティブなドライブとして動作する。反対にディスク状メディア駆動部５にディスク状メディア４が無くＩＣカード駆動部３にＩＣカード２が有る場合はＩＣカード駆動部３がＰＣのアクティブなドライブとして動作する。
【００３４】
また、両方のドライブにメディアが有る場合はあらかじめ電子機器１の初期設定もしくは使用者による設定による優先度があるドライブ例えばディスク状メディア駆動部５がＰＣのアクティブなドライブとして動作する。
【００３５】
ＰＣと接続した初期の処理以降の動作としては図２によりアクティブなドライブは切替わる。
【００３６】
これらにより、ＰＣと接続した初期時においても、切替え用のスイッチ等によりドライブ切替え処理が必要でなく、メディアが有るドライブが自動で外部ドライブとして使用可能となる。
【００３７】
【発明の効果】
以上のように、本発明のＵＳＢ接続機能搭載の電子機器によれば、ＰＣと接続した初期時及びメディアドライブの切替えを切替えスイッチ等無しで自動でアクティブなドライブの切替えが可能となり煩わしさがない。また、切替え用のスイッチが必要でないため構成が簡略化される。
【図面の簡単な説明】
【図１】本発明における電子機器の構成図
【図２】本発明における電子機器の流れ図
【符号の説明】
１  電子機器
２  ＩＣカード
３  ＩＣカード駆動部
４  ディスク状メディア
５  ディスク状メディア駆動部
６  操作部
７  ＣＰＵ
８  表示部
９  ＵＳＢ処理部
【図１】
2004246660.tif 000003
【図２】
2004246660.tif 000004